(57)【要約】      （修正有）【課題】印刷の完了した注文書を取り出したかどうかを探知するプリンターの注文書未取得探知装置を提供する。【解決手段】本プリンターの注文書未取得探知装置は、赤外線探知ライト１と、アラーム回路とを備える。前記赤外線探知ライトは、発射ライト１１と受信ライト１２とを含み、何れもプリンターの用紙排出口箇所に配置する。また、紙排出口の垂線を発射ライトと受信ライトの発する光線によって形成される挟角の二等分線とする。受信ライトもアラーム回路に接続し、発射ライトの信号を受信した時、アラーム回路と接続する。本装置は、プリントアウトした注文書がまだ取り出されていない時にお知らせアラームを発することにより、キッチンの料理作製を迅速に、連続的にし、作業効率を高め、顧客の料理待ち時間を短縮することができる。【選択図】図１
0003174947.tif 000002
【実用新案登録請求の範囲】
【請求項１】
赤外線探知ライトと、アラーム回路と、を含むプリンターの注文書未取得探知装置において、
前記赤外線探知ライトは、発射ライトと受信ライトとを備え、何れもプリンターの用紙排出口箇所に配置し、紙排出口の垂線は、発射ライトと受信ライトの発する光線によって形成される挟角の二等分線とし、
前記受信ライトは、アラーム回路と接続し、発射ライトの信号を受信する時、アラーム回路に繋がることを特徴とするプリンターの注文書未取得探知装置。
【請求項２】
前記赤外線探知ライトは、探知ライトの支持体上に配置されることを特徴とする請求項１に記載のプリンターの注文書未取得探知装置。
【請求項３】
前記アラーム回路は、ブザーを含むことを特徴とする請求項１に記載のプリンターの注文書未取得探知装置。
【請求項４】
前記アラーム回路は、アラームライトを含むことを特徴とする請求項１に記載のプリンターの注文書未取得探知装置。
【考案の詳細な説明】
【技術分野】
【０００１】
本考案は、プリンター機器に係り、特に、印刷の完了した注文書を取り出したかどうかをプリンターの注文書未取得探知装置に関する。
【背景技術】
【０００２】
現在、大規模なレストランでは、面積が比較的広く、ホールとキッチンが離れている。使用しているオーダー設備にはリモートネットワークのキーボードやプリンターを含むが、キーボードやプリンターがそれぞれ、ホール及びキッチンに取り付けられているため、顧客がオーダーする時、ホールスタッフは顧客の注文した料理をキーボードを使って入力し、確認後、それに接続するプリンターで注文書を自動的に打ち出し、用紙排出口から送り出した後、更にカッターを起動させて注文書を切り取る。コックは注文書を見た後に、手に取り、オーダー内容に従って料理を作る。使用は非常に便利で、しかも数量を誤ったり、内容を誤ったりする等のミスが発生しにくい。
【０００３】
プリンターで注文書をプリントアウトする時に、コックは、プリンターの作動に伴う音を聞き取り、プリンター箇所に来て注文書を受け取る。しかし、キッチン内の音がうるさいために、プリントアウト時の音が聞こえず、注文書を見落としてしまい、注文の料理作製を遅らせ、顧客の待ち時間を延ばし、サービス品質に影響を及ぼすこともある。顧客のオーダーを見落とさないために、キッチン内には常にプリンターに注文書があるかどうかを確認する人員が必要となり、コックの料理作製効率に影響を及ぼす。特に、食事のピーク時間においては、プリンターに注意する時間はなく、専門に注文書を確認する人員を付けたとしたら人力の浪費となるため、これは不要である。
【０００４】
前述の問題点に鑑み、本考案者は、現在のオーダー設備に対する研究と改善を行い、本考案を誕生させた。
【考案の開示】
【考案が解決しようとする課題】
【０００５】
本考案の主な目的は、注文書をプリントアウトしたがまだ取り出されていない時にアラームを発し、料理作製を迅速に、連続的にし、作業効率を高め、顧客の料理待ち時間を短縮することを保証するプリンターの注文書未取得探知装置の提供にある。
【課題を解決するための手段】
【０００６】
上述の目的を達成するため、本考案は次の解決方法を採用する。
【０００７】
プリンターの注文書未取得探知装置は、赤外線探知ライトと、アラーム回路とを備え、前記赤外線探知ライトには、発射ライトと、受信ライトを備え、何れもプリンターの用紙排出口箇所に配置する。並びに、紙排出口の垂線を発射ライトと受信ライトの発する光線によって形成される挟角の二等分線とする。受信ライトはやはりアラーム回路に接続し、並びに、発射ライトの信号を受信する時、アラーム回路に繋がる。
【０００８】
前記赤外線探知ライトは、探知ライトの支持体上に配置する。
【０００９】
前記アラーム回路には、ブザーを含む。
【００１０】
前記アラーム回路には、アラームライトを含む。
【００１１】
前述方法を採用した本考案は、プリンターの用紙排出口箇所に一対の赤外線探知ライトを配置する。これにより、プリントアウトを終えても注文書がまだ取り出されていない場合は、発射ライトが発する赤外線が用紙排出口箇所を経た注文書を反射し、その後、受信ライトが受信するのと同時に、アラーム回路を触発してアラームを起動させ、キッチンスタッフにオーダーがあったことを知らせる。これにより、注文書が取り出され、料理作製時間を遅らせることなく、作業効率を向上させ、専門人員によって注文票を見張る必要もなく、使用が非常に便利で、顧客の料理待ち時間を短縮できる。
【考案の効果】
【００１２】
本考案のプリンターの注文書未取得探知装置は、注文書をプリントアウトしたがまだ取り出されていない時にアラームを発し、料理作製を迅速に、連続的にし、作業効率を高め、顧客の料理待ち時間を短縮するという効果を奏する。
【図面の簡単な説明】
【００１３】
【図１】本考案の正面図である。
【図２】本考案の上面図である。
【図３】図２のＡ−Ａラインの断面図である。
【図４】本考案の立体分解図である。
【図５】本考案のアラーム回路の接続図である。
【考案を実施するための最良の形態】
【００１４】
次に、添付図を組み合わせた具体的な実施例によって、本考案に対する詳細な説明を行なう。
【００１５】
図１及び図２に示した本考案のプリンターの注文書未取得探知装置は、図４に示したプリンター上に取り付ける。プリンターは、本体１０と、上外殻２０と、上蓋３０とを含み、上外殻２０は、本体１０の上部に嵌合し、収納空間を形成する。用紙ロールを回転可能状態で収納空間内に設け、収納空間内には、更に、カッター３を配置する（図３参照）。上蓋３０は上外殻２０上に配置し、用紙排出口４を形成し、プリンター作業時、用紙ロールを引っ張って回転させ、開けられた空白用紙上に注文書を印刷した後、カッター３で裁断し、用紙排出口４から送り出す。本実施例では、前記未取得探知装置は、一対の赤外線探知ライト１とアラーム回路２を備える。
【００１６】
赤外線探知ライト１は、発射ライト１１と、受信ライト１２とを含み、何れも探知ライト支持体５上に固定され、支持体５は、プリンターのカッター３上方の用紙排出口４箇所に配置される。図３及び図４には、具体的な位置関係を示す。用紙排出口４に対して垂直となる垂線ａを形成し、発射ライト１１と受信ライト１２とをそれぞれ垂線ａの両側に配置する。且つ、発射ライト１１が発する光線と垂線ａとが形成する挟角をαとし、受信ライト１２の発する光線と垂線ａとが形成する挟角をβとし、α＝βとする。即ち、垂線ａは発射ライト１１、受信ライト１２の発する光線が形成する挟角の二等分線となる。挟角の頂点箇所に反射媒体（即ち注文書の用紙）が存在する状況のもと、発射ライト１１の発する信号を受信ライト１２が受信し、信号を受信する時に、触発信号が生じる。
【００１７】
アラーム回路２は、注意を促すためのもので、図５に示すとおり、受信ライト１２の信号触発を受信して遮断する。本実施例では、アラーム回路２にブザー（即ち図５中のＰＲＮ−ＰＳ３）とアラームライト（即ち図５中のＰＲＮＬＥＤ５）を接続し、受信ライト１２が発射ライト１１の赤外線信号を受信した時（この時の作業過程を理解するために図５を参照）、チップＣＮ−ＣＳのリード１と２は何れも低電力に変換し、回路が繋がり、ブザーが鳴り、アラームライトが発光する。同時に、音と光のアラームが生じるため、キッチンスタッフがなんらかの原因で注文書を取っていないのを防ぐことができる。
【００１８】
本実施例の作動時は、図３に示す通り、顧客がオーダーする時、ホールスタッフは顧客の注文した品物をキーボードを用いて入力、確認した後、プリンターによって信号が受信され、注文書６をプリントアウトする。用紙排出口４から送り出された注文書６のプリントアウトが終了すると、注文書６は、カッター３によってカットされる。この時、注文書６がまだ取り出されていない場合、注文書６は用紙排出口４箇所にあるため、発射ライト１１の発する赤外線が注文書６表面を照らして反射を生じさせ、光線が受信ライト１２箇所に反射する。受信ライト１２は触発信号を発し、アラーム回路２が繋がり、お知らせブザーが鳴り始める。それと同時に、アラームライトが点灯し、キッチンスタッフに注文書６がまだ取り出されていないことを知らせる。注文書６が取り出されると、用紙排出口４箇所のその他の部件は、赤外線に対して反射を起こせないため、アラーム回路２は作動せず、ミス動作が発生することはない。
【００１９】
上述したとおり、本考案のプリンターの注文書未取得探知装置は、用紙排出口４の近くに一対の赤外線探知ライト１を配置することをポイントとし、用紙排出口４箇所の注文書６がまだ取り出されていない場合は、注文書６の表面が発射ライト１１の発する赤外線を受信ライト１２に反射し、受信ライト１２がアラーム回路２を触発して、音と光で注意を促す。キッチンスタッフは、簡単に音が聞こえ、簡単にお知らせ信号が見えるため、即時に注文書６を取り出し、関連する料理の作製に入れ、顧客の料理待ち時間を短縮でき、使用便利性が高く、常に見張っている必要がなく、作業効率を高めることができる。
【００２０】
以上の実施例は、単に、本実用新案の技術的な考えを説明したのみであり、これによって本実用新案の保護範囲を限定することはできない。尚、本実用新案の開示する技術的な考えに基づいて、技術方案の基礎の上になされた何れかの変更は全て、本実用新案の保護範囲に含まれることをここに明記する。
【符号の説明】
【００２１】
１・・・赤外線探知ライト、１０・・・本体、１１・・・発射ライト、１２・・・受信ライト、２・・・アラーム回路、２０・・・上外殻、３０・・・上蓋、３・・・カッター、４・・・用紙排出口、５・・・支持体、６・・・注文書、ａ・・・、垂線、α,β・・・挟角。
【図１】
0003174947.tif 000003
【図２】
0003174947.tif 000004
【図３】
0003174947.tif 000005
【図４】
0003174947.tif 000006
【図５】
0003174947.tif 000007